【手続補正書】
【提出日】令和3年5月24日(2021.5.24)
【手続補正１】
【補正対象書類名】特許請求の範囲
【補正対象項目名】全文
【補正方法】変更
【補正の内容】
【特許請求の範囲】
【請求項１】
（ａ）加熱器のプラットフォーム、
（ｂ）試料容器、
（ｃ）前記加熱器のプラットフォームに取り付けられる第一及び第二の加熱器であって、反対の向きにあり、それによって前記第一及び第二の加熱器間に隙間が生じるもの、
（ｄ）前記加熱器のプラットフォームに取り付けられる第三及び第四の加熱器であって、反対の向きにあり、それによって前記第三及び第四の加熱器間に隙間が生じるもの、ならびに
（ｅ）往復モーターであって、前記試料容器が、（ｉ）前記第一及び第二の加熱器間の前記隙間内に存在する位置、ならびに（ｉｉ）前記第三及び第四の加熱器間の前記隙間内に存在する位置の間で前記加熱器のプラットフォームを物理的に移動させるものを含む装置。
【請求項２】
さらに、前記往復モーターを指示する制御装置を含む、請求項１に記載の装置。
【請求項３】
試料を処理する方法であって、
（ａ）請求項１または２に記載の装置の前記試料容器に試料を入れること、及び
（ｂ）所定のスケジュールに従って、前記加熱器のプラットフォームを、前記試料容器が（ｉ）前記第一及び第二の加熱器間の前記隙間内に存在する位置、ならびに（ｉｉ）前記第三及び第四の加熱器間の前記隙間内に存在する位置の間を往復させることを含む前記方法であり、
前記第一及び第二の加熱器間の前記隙間は、前記試料容器で、前記試料を前記第一及び第二の加熱器間の前記隙間の温度にするのに十分な時間維持され、前記第三及び第四の加熱器間の前記隙間は、前記試料容器で、前記試料を前記第三及び第四の加熱器間の前記隙間の温度にするのに十分な時間維持される、前記方法。
【請求項４】
（ａ）加熱器のプラットフォーム、
（ｂ）試料容器、
（ｃ）検出器、
（ｄ）前記加熱器のプラットフォームに取り付けられる第一及び第二の加熱器であって、反対の向きにあり、それによって前記第一及び第二の加熱器間に隙間が生じるもの、
（ｅ）前記加熱器のプラットフォームに取り付けられる第三及び第四の加熱器であって、反対の向きにあり、それによって前記第三及び第四の加熱器間に隙間が生じるもの、ならびに
（ｆ）往復モーターであって、前記試料容器が、（ｉ）前記第一及び第二の加熱器間の前記隙間内に存在する位置、（ｉｉ）前記第三及び第四の加熱器間の前記隙間内に存在する位置、ならびに（ｉｉｉ）前記検出器に隣接する位置の間で前記加熱器のプラットフォームを物理的に移動させるものを含む、請求項１に記載の装置。
【請求項５】
（ａ）さらに、前記往復モーターを指示する制御装置を含む、
または
（ｂ）前記検出器が蛍光光度計または画像センサーである、請求項４に記載の装置。
【請求項６】
試料を処理及び分析する方法であって、
（ａ）請求項４または５に記載の装置の前記試料容器に試料を入れること、及び
（ｂ）所定のサイクルに従って、前記試料容器が、（ｉ）第一及び第二の加熱器間の前記隙間内に存在する位置、（ｉｉ）前記第三及び第四の加熱器間の前記隙間内に存在する位置、ならびに（ｉｉｉ）前記検出器に隣接する位置の間で前記加熱器のプラットフォームを往復させることを含む前記方法であり、
前記試料容器は、前記第一及び第二の加熱器の間の前記隙間で、前記試料を前記第一及び第二の加熱器の間の前記隙間の温度にするのに十分な時間維持され、前記試料容器は、前記第三及び第四の加熱器の間の前記隙間で、前記試料を前記第三及び第四の加熱器の間の前記隙間の温度にするのに十分な時間維持され、前記試料及び／または試料容器の特性は、前記検出器にて得られる、前記方法。
【請求項７】
（ａ）前記特性が蛍光強度である、
または
（ｂ）前記試料が、前記第一及び第二の加熱器、前記第三及び第四の加熱器、ならびに前記検出器を通して２サイクル以上、サイクルを繰り返され、前記試料が、前記第一及び第二の加熱器、前記第三及び第四の加熱器、ならびに前記検出器を通して１０サイクル以上、サイクルを繰り返されてもよい、請求項６に記載の方法。
【請求項８】
複数の薄層を含み、各薄層が１ｍｍ以下の厚さを有し、前記複数の薄層同士が接着して試料容器を構成するカードを形成する試料ホルダー装置であって、中心の薄層が、試料格納用の切り欠きを含み、これが、前部及び後部の薄層が前記中心層に適用されて組み立てカードを形成した場合に試料容器を形成し、前記前部の薄層は、透明窓を含み、これは、前記前部及び中心の層同士が接着されて前記組み立てカードが形成された場合に前記格納用の切り欠きに隣接して位置し、前記組み立てカードは、前記試料ホルダー装置を機器に接続するための係合要素を含む、前記試料ホルダー装置。
【請求項９】
（ａ）前部の薄層全体が透明であり、
（ｂ）前記係合要素が、前記前部及び後部の薄層の一方または両方にスロットの切り欠きを含み、前記係合要素が、前記前部、中心、及び後部の薄層にスロットの切り欠きを含んでもよく、
（ｃ）さらに、前記前部または後部の薄層にポートの切り欠き、及び前記中心層にポートのチャンネルを含み、前記ポートの切り欠き及びポートのチャンネルは、前記組み立てカードにおいて、前記試料容器に液体試薬を添加するためのポートを形成するように整列し、
（ｉ）さらに、ポート閉鎖要素を含み、前記ポート閉鎖要素が前記組み立てカードで前記ポートの切り欠きに適用されると、前記試料容器がシールされてもよい、
または
（ｉｉ）さらに、前記前部または後部の薄層にベントの切り欠き、及び前記中心層にベントのチャンネルを含み、前記ベントの切り欠き及びベントのチャンネルは、前記組み立てカードにおいて、液体試薬が前記ポートから前記試料容器に添加される際に、前記試料容器から空気を放出するためのベントを形成するように整列してもよく、さらに、ベント閉鎖要素を含み、前記ベント閉鎖要素が前記組み立てカードで前記ベントの切り欠きに適用されると、前記試料容器がシールされてもよい、
（ｄ）前記薄層の各々が、同一の周囲断面を含み、
（ｅ）さらに、前記前部及び／または後部の薄層に接着される１層以上の支持層を含み、
（ｉ）前記支持層が、薄層ではなくてもよく、
（ｉｉ）前記支持層が、前記複数の薄層と同一の周囲断面を含んでもよく、
または
（ｉｉｉ）前記支持層が、前記薄層及び前記支持層がカードに組み立てられた際に前記透明窓、係合要素、及び試料容器へのアクセスを提供する切り欠きを含んでもよく、
または
（ｆ）さらに、前記試料容器内にアッセイ試薬を含み、
（ｉ）前記アッセイ試薬が、ポリメラーゼ連鎖反応（ＰＣＲ）試薬を含んでもよく、
または
（ｉｉ）前記アッセイ試薬が、前記試料容器の内面で乾燥されてもよい、請求項８に記載の装置。
【請求項１０】
（ａ）請求項８または９に記載の試料ホルダー装置、ならびに
（ｂ）（ｉ）第一の温度帯、
（ｉｉ）第二の温度帯、
（ｉｉｉ）検出帯、及び
（ｉｖ）往復機構を含む機器を含むシステムであって、
前記往復機構は、前記試料ホルダー装置の前記係合要素へ取り付けられるように構成され、活性化時には、所定のサイクルに従って、前記第一の温度帯、前記第二の温度帯、及び前記検出帯の間で前記試料容器を往復させるように構成される、前記システム。
【請求項１１】
（ａ）前記検出帯が、蛍光光度計または画像センサーを含み、
（ｂ）前記往復機構がモーターを含み、
または
（ｃ）前記第一及び第二の温度帯が、各々、前記往復機構が前記試料容器をそれぞれ、前記第一及び第二の温度帯内に物理的に移動させると、前記試料容器が接触または近接される加熱器を含み、
前記第一及び第二の温度帯が、各々、２つの対向する加熱器を含み、前記試料容器は、前記往復機構が前記試料容器をそれぞれ、前記第一及び第二の温度帯に物理的に移動させた場合に、前記２つの対向する加熱器間にもたらされてもよく、２つの対向する加熱器の対における一方または両方の前記加熱器が可動であり、前記加熱器は、前記試料容器が前記温度帯に入る際には前記試料容器を囲むように、前記試料容器が前記温度帯から出る場合には前記試料容器を開放するように構成されてもよい、請求項１０に記載のシステム。